(57)【要約】【課題】  原稿を搬送させながら画像を読み取る場合に、照射した光に対する原稿の反射面の傾きが異なっても、読み取り画像に濃度差が生じないようにする。【解決手段】  制御部の制御により、原稿読取を開始し（Ｓ１）、シートスルー読取方式と判断し（Ｓ２）、読取画像データに濃度補正を実施すと判断すると（Ｓ３）、原稿に対して読取位置で原稿の傾きを検出するための光を照射すると共に、原稿の読取位置での画像データを読み取り（Ｓ４）、反射位置検出部で受光位置を検出し（Ｓ５）、その受光位置に基づいて、参照テーブルから受光位置に対応する補正係数を読み出し（Ｓ６）、上記読取画像データに上記補正係数を乗算して上記読取画像データの濃度を補正し（Ｓ７）、読取終了なら（Ｓ８）、この処理を終了する。【選択図】        図７
2011091473.tif 000002
【特許請求の範囲】
【請求項１】
原稿を所定の読取領域に順次移動させ、前記読取領域に到達した前記原稿に画像読み取りのための光を照射し、前記原稿からの反射光に基づいて前記原稿の画像データを読み取る画像読取装置において、
前記読取領域に到達した前記原稿から正反射光を得るための光を照射する光照射手段と、
前記光照射手段によって前記読取領域に到達した前記原稿に照射した光による前記原稿からの正反射光を受光し、該受光した正反射光の受光位置を検出する受光位置検出手段と、
前記受光位置検出手段によって検出された受光位置に対応して予め測定された濃度を補正するための補正係数を決定する補正係数決定手段と、
前記補正係数決定手段によって決定された補正係数を前記原稿から読み取った画像データに対して演算して濃度を補正する濃度補正手段とを設けたことを特徴とする原稿読取装置。
【請求項２】
前記光照射手段によって照射する光は可視長とは異なることを特徴とする請求項１記載の原稿読取装置。
【請求項３】
前記光照射手段と前記受光位置検出手段を前記原稿の裏面側に配置することを特徴とする請求項１又は２記載の原稿読取装置。
【請求項４】
前記光照射手段と前記受光位置検出手段の組み合わせを前記画像データの複数の色毎にそれぞれ設けるようにしたことを特徴とする請求項１乃至３のいずれか一項に記載の原稿読取装置。
【請求項５】
前記濃度補正手段は、前記画像データの遅延時間を加味した上で前記画像データに対して濃度を補正するようにしたことを特徴とする請求項１乃至４のいずれか一項に記載の原稿読取装置。
【請求項６】
前記補正係数決定手段は、複数ラインの受光位置から前記補正係数を決定することを特徴とする請求項１乃至５のいずれか一項に記載の原稿読取装置。
【請求項７】
前記受光位置に対応して予め測定された濃度を補正するための補正係数を記憶する記憶手段を設け、前記原稿から読み取った全ての画像データを一旦記憶し、該記憶した各画像データに対して前記濃度補正手段による濃度の補正を行うようにしたことを特徴とする請求項１乃至６のいずれか一項に記載の原稿読取装置。
【請求項８】
前記濃度補正手段は、前記画像データに対して指定された領域にのみ濃度を補正する処理を施す手段であることを特徴とする請求項１乃至７のいずれか一項に記載の原稿読取装置。
【発明の詳細な説明】
【技術分野】
【０００１】
この発明は、原稿の画像を読み取る原稿読取装置に関する。
【背景技術】
【０００２】
スキャナを含む原稿読取装置（「画像読取装置」ともいう）、及びその原稿読取装置を備えたファクシミリ装置，複写機，複合機を含む画像形成装置（「画像処理装置」ともいう）における原稿の画像の読み取りには、原稿を固定したまま光学装置の方を動かして画像を読み取る圧板読み取り方式と、光学装置を動かさずに固定したまま原稿の方を搬送して移動させながら画像を読み取るシートスルー読み取り方式とがある。
シートスルー読み取り方式では、原稿の搬送中に傾きが発生した場合、原稿に対する反射光の光量が変化するため、圧板読み取り方式に対して濃度差が発生する。
従来の原稿読取装置では、機械が大きいので原稿搬送路が長く取れるため、原稿の傾きが発生しないようにすることができた。
【０００３】
しかし、近年のユニットの小型化・高速化が進んでいる原稿読取装置では、原稿の搬送路が短くなり、読み取り位置への原稿入射角が急になって原稿がカールし易くなり、濃度差の発生がより顕著になるという問題があった。
従来、原稿を給紙する前に、原稿押さえ面を１ライン以上読み取って基準データとして保持後、原稿を給紙して読取手段で読み取った画像情報をデジタル画像データに変換し、そのデジタル画像データの中から選択した複数ラインの画像データの参照データと上記基準データとを参照して補正方法を決定し、その決定された補正方法に基づいて上記デジタル画像データに補正を加える画像読取装置（例えば、特許文献１参照）があった。
【０００４】
また、原稿読み取りの指示時、第１の基準白色板の読み取りによって初期の白色基準値を取得し、その初期の白色基準値と、指示された所定動作モードと、白色基準値の変動及び補正係数の履歴に応じて、１枚目の原稿に対する補正係数を設定し、搬送される原稿の搬送原稿読取位置での読み取りと、第２の基準白色板の読み取りによる白色基準値の取得とを同時に行い、初期の白色基準値に対する読取時の白色基準値の変化量に応じて、読み取った原稿の濃度を補正する画像読取装置（例えば、特許文献２参照）があった。
【発明の概要】
【発明が解決しようとする課題】
【０００５】
しかしながら、原稿の厚み，種類，カール量などの条件の違いによって、原稿が読取領域（画像の読み取りのために光が照射される部分）を通過する際に、光の照射方向に対して原稿面が傾くことがあり、その傾き加減も搬送中に変化することがある。
上述した従来の画像読取装置では、上記のような搬送中の原稿面の挙動に合わせて変化する読取画像の濃度を補正できないという問題があった。
この発明は上記の点に鑑みてなされたものであり、原稿を搬送させながら画像を読み取る場合に、照射した光に対する原稿の反射面の傾きが異なっても、読み取り画像に濃度差が生じないようにすることを目的とする。
【課題を解決するための手段】
【０００６】
この発明は上記の目的を達成するため、原稿を所定の読取領域に順次移動させ、上記読取領域に到達した上記原稿に画像読み取りのための光を照射し、上記原稿からの反射光に基づいて上記原稿の画像データを読み取る画像読取装置において、上記読取領域に到達した上記原稿から正反射光を得るための光を照射する光照射手段と、上記光照射手段によって上記読取領域に到達した上記原稿に照射した光による上記原稿からの正反射光を受光し、その受光した正反射光の受光位置を検出する受光位置検出手段と、上記受光位置検出手段によって検出された受光位置に対応して予め測定された濃度を補正するための補正係数を決定する補正係数決定手段と、上記補正係数決定手段によって決定された補正係数を上記原稿から読み取った画像データに対して演算して濃度を補正する濃度補正手段を設けた原稿読取装置を提供する。
【０００７】
また、上記光照射手段によって照射する光は可視長とは異なるようにするとよい。
さらに、上記光照射手段と上記受光位置検出手段を上記原稿の裏面側に配置するようにしてもよい。
また、上記光照射手段と上記受光位置検出手段の組み合わせを上記画像データの複数の色毎にそれぞれ設けるようにしてもよい。
さらに、上記濃度補正手段が、上記画像データの遅延時間を加味した上で上記画像データに対して濃度を補正するようにするとよい。
【０００８】
また、上記補正係数決定手段が、複数ラインの受光位置から上記補正係数を決定するようにしてもよい。
さらに、上記受光位置に対応して予め測定された濃度を補正するための補正係数を記憶する記憶手段を設け、上記原稿から読み取った全ての画像データを一旦記憶し、その記憶した各画像データに対して上記濃度補正手段による濃度の補正を行うようにしてもよい。
さらにまた、上記濃度補正手段を、上記画像データに対して指定された領域にのみ濃度を補正する処理を施す手段にしてもよい。
【発明の効果】
【０００９】
この発明による原稿読取装置は、原稿を搬送させながら光を照射して画像を読み取るとき、原稿に照射した光の反射面の傾きに応じて生じる読み取り画像の濃度差を補正することができる。
【図面の簡単な説明】
【００１０】
【図１】この発明の一実施例である原稿読取装置の構成を示す図である。
【図２】原稿からの反射光の説明図である。
【図３】原稿の傾きの程度を検出する機能部の説明図である。
【図４】図３に示す反射位置検出部での受光位置と読取画像データの濃度との関係を示すグラフの図である。
【００１１】
【図５】読み取った画像データの画像処理に係る各機能部を示すブロック図である。
【図６】濃度補正処理の手順を示す図である。
【図７】この実施例の原稿読取装置の原稿読取処理を示すフローチャート図である。
【発明を実施するための形態】
【００１２】
以下、この発明を実施するための形態を図面に基づいて具体的に説明する。
〔実施例〕
図１は、この発明の一実施例である原稿読取装置の構成を示す図である。
この原稿読取装置は、スキャナを含む画像読取装置である。また、この原稿読取装置は、ファクシミリ装置，複写機，複合機を含む画像形成装置に搭載可能である。この原稿読取装置は、シートスルー読み取り方式で原稿の画像を読み取り、その画像データを取得する。
次に、この原稿読取装置の搬送系について説明する。
原稿トレイ１に置かれた原稿Ｓは、給紙コロ２によって給紙ローラ３に導かれ、第１搬送ローラ対４を通って原稿押さえ部５の下の読取位置Ｐに運ばれる。
【００１３】
読取位置Ｐ付近では、原稿押さえ部５が、原稿Ｓをコンタクトガラス６に対して一定圧の付勢力で押し付けることにより、原稿Ｓはコンタクトガラス６側に押された形で通過する。こうして、原稿Ｓの搬送時に読取位置Ｐ付近でのばたつきを押さえることができる。
なお、原稿押さえ部５の押圧力を強くし過ぎると、原稿Ｓが薄紙の場合、原稿押さえ部５とコンタクトガラス６との隙間を通らなくなる恐れがあるので、この原稿読取装置で使用可能な原稿Ｓの厚みに基づいて押圧力を調整すると良い。
また、この原稿押さえ部５は、この発明の実施例に必須のものではないので、原稿押さえ部５が無いものでもよい。
読取位置Ｐを通過した原稿Ｓは、第２搬送ローラ対７を通って排紙される。
【００１４】
次に、光学系について説明する。
読取位置Ｐを通過する原稿Ｓには光源８より光が照射される。その光源８としては、Ｘｅランプ，冷陰極管，ＬＥＤなどが使用される。
光源８に対向する位置にはリフレクタ９が配設され、そのリフレクタ９は光源８からの照射光を読取位置Ｐへ反射することにより、原稿Ｓに対して光源８からの直接の照射光とは反対方向からも光を照射する。
読取位置Ｐに照射された光は原稿Ｓの面上にて反射し、その反射光は原稿Ｓに対して所定の角度を持った形で反射され、その反射光（散乱光）が、第１ミラー１０，第２ミラー１１，第３ミラー１２によってそれぞれ反射されてレンズ１３へ導かれる。
【００１５】
レンズ１３を通過した反射光は、基板１５上に取り付けられた受光素子１４に入射される。
さらに、光源１６は、原稿Ｓの傾きを検出するために原稿Ｓに対して読取位置Ｐで照射する光を発光するライトである。
反射位置検出部１７は、受光位置検出手段の機能を果たし、光源１６から照射した光が、原稿Ｓの原稿面に対して読取位置Ｐで反射した反射光を受光し、その受光位置を検出する。
【００１６】
図２は、原稿からの反射光の説明図である。
原稿面に光を照射すると、その反射光には正反射光と拡散反射光（「散乱光」ともいう）が含まれる。
原稿からの画像の読み取りには反射光の内の拡散反射光を受光素子に入射することによって画像データを得る。
その反射光については、同図の（ａ）に示すように、原稿Ｓの原稿面がコンタクトガラスに対して平行な場合、これを原稿の傾き無しの場合とすると、照射光Ｌ１に対する反射光の拡散反射光の中心光Ｌ３は、原稿面に対してほぼ垂直に反射され、拡散反射光の中心光Ｌ３と正反射光Ｌ２とのなす角度θａは、照射光Ｌ１と拡散反射光の中心光Ｌ３のなす角度とほぼ同じになる。
【００１７】
一方、原稿Ｓの原稿面がコンタクトガラスに対して傾いた状態の場合、同図の（ｂ）に示すように、拡散反射光の中心光Ｌ３と正反射光Ｌ２とのなす角度θｂが、照射光Ｌ１と拡散反射光の中心光Ｌ３のなす角度よりも小さい場合、拡散反射光の中心光Ｌ３の強度は、同図の（ａ）に示した場合よりも強くなり、その結果、読み取られた画像データの濃度は、同図の（ａ）に示した場合の拡散反射光から得られるものよりも濃くなる。
また、同図の（ｃ）に示すように、拡散反射光の中心光Ｌ３と正反射光Ｌ２とのなす角度θｃが、照射光Ｌ１と拡散反射光の中心光Ｌ３のなす角度よりも大きい場合、拡散反射光の中心光Ｌ３の強度は、同図の（ａ）に示した場合よりも弱くなり、その結果、読み取られた画像データの濃度は、同図の（ａ）に示した場合の拡散反射光から得られるものよりも薄くなる。
【００１８】
このように、原稿からの拡散反射光は原稿面に入射する際の角度によって強度が異なってくるものであり、正反射光とのなす角度が小さくなるほど光の強度は強くなり、正反射光とのなす角度が大きくなるほど光の強度は弱くなる。
したがって、同じ原稿上の画像を読み取った場合でも、原稿の傾き具合によって読み取られた画像データの濃度に差が発生することになる。
【００１９】
上述のように、原稿の画像を読み取る際、コンタクトガラス（又は照射光）に対する原稿面の傾き具合によって読み取られた画像データの濃度は変化する。
そこで、この実施例の原稿読取装置は、原稿の読み取り時に、原稿の照射光に対する傾き具合を検出し、その傾き具合に応じて読み取られた画像データの濃度を補正する。
図３は、原稿の傾きの程度を検出する機能部の説明図である。
傾きのない状態の原稿Ｓ１に対して読取位置Ｐに光源８から照射した光の正反射光と拡散反射光と、傾きのある状態の原稿Ｓ２に対して読取位置Ｐに光源８から照射した光の正反射光と拡散反射光とは異なる。
【００２０】
そこで、原稿Ｓに対して光を斜めに入射する位置に光源１６（光照射手段）を配置する。この光源１６には、例えば、ＬＥＤを用いると良い。ＬＥＤの場合、光の指向性が狭いので、光が広がらずに原稿面を照射することができ、原稿面の傾きに応じて異なる正反射光を得ることができる。また、例えば、赤外線光などの読み取りの構成で受光素子が読み取り難い波長の光を発光する光源にするとよい。
その折り返し面に反射位置検出部１７を配置している。反射位置検出部１７には、例えば、ＰＳＤ素子を用いると良い。ＰＳＤ素子は、光の受光位置に応じて出力値を変化させるので、その出力値の変化量に基づいて原稿の傾き具合を検出することができる。
その他には、ＣＣＤなどの受光素子を設けてそのピーク位置を検出するなどの方式が考えられる。
【００２１】
図４は、反射位置検出部での受光位置と読取画像データの濃度との関係を示すグラフの図である。
反射位置検出部１７では、原稿Ｓ１（又はＳ２）からの正反射光の受光位置がＡ方向で検出される場合は、拡散反射光の中心光Ｌ３と正反射光Ｌ２とのなす角度θｂが、照射光Ｌ１と拡散反射光の中心光Ｌ３のなす角度よりも小さい場合であり、拡散反射光の中心光Ｌ３の強度は基準となる読み取り時（原稿に傾きがない場合の読み取り時）よりも強くなり、その結果、読み取られた画像データの濃度は、基準となる読み取り時の拡散反射光から得られるものよりも濃くなる。
【００２２】
また、原稿Ｓ１（又はＳ２）からの正反射光の受光位置がＢ方向で検出される場合は、拡散反射光の中心光Ｌ３と正反射光Ｌ２とのなす角度θｃが、照射光Ｌ１と拡散反射光の中心光Ｌ３のなす角度よりも大きい場合であり、拡散反射光の中心光Ｌ３の強度は基準となる読み取り時よりも弱くなり、その結果、読み取られた画像データの濃度は、基準となる読み取り時の拡散反射光から得られるものよりも薄くなる。
すなわち、反射位置検出部１７では検出した受光位置が読取位置Ｐに近づくほど受光素子へ入射する光は強くなることになるので、同一濃度の原稿を読んだとしても、反射位置検出手段の位置に応じて受光素子で受ける濃度は変化することになる。
【００２３】
そこで、予め実験により、反射位置検出部１７で検出した受光位置毎に対するそれぞれの画像データの濃度の変化量について測定し、その変化量に基づいて受光位置毎に異なる画像データの濃度を基準となる読み取り時の画像データの濃度に合わせるための各補正係数（パラメータ）を求め、例えば、後述する制御部２７のメモリに、反射位置検出部１７で検出した受光位置毎に対する補正係数をそれぞれ対応させて、例えば、参照テーブル形式にして保存する。
なお、この実施例では光源１６と反射位置検出部１７を別体にした場合を示しているが、原稿に隣接させて配置すれば一体にすることも可能である。
また、原稿の読取位置Ｐを光の照射位置にした場合を示しているが、原稿の傾き具合を検出できるならば、原稿に対しての光の照射位置を読取位置Ｐ以外の箇所にしてもよい。
【００２４】
次に、読み取った画像データの濃度の補正処理について説明する。
図５は、読み取った画像データの画像処理に係る各機能部を示すブロック図である。
制御部２７は、ＣＰＵであり、図示を省略した書き替え可能なＲＯＭを備えている。
この制御部２７は、以下の各部の制御を司り、ＲＯＭに格納された参照テーブルから補正係数を読み出して濃度補正部２４へ送り、濃度補正部２４に補正係数に基づく画像データの濃度補正を行わせる。すなわち、制御部２７が補正係数決定手段の機能を果たし、濃度補正部２４が濃度補正手段の機能を果たす。
原稿から読み取った画像データは、受光素子（イメージセンサ）１４よりＲ，Ｇ，Ｂのアナログデータとして出力される。
アナログデジタル変換部２０は、受光素子１４からのＲ，Ｇ，Ｂのアナログデータをデジタルデータに変換して出力する。
【００２５】
画像処理部２１では、ライン間補正部２２によってＲ，Ｇ，Ｂのデジタルデータに対して受光素子１４のライン間隔の補正を行う。
また、黒補正部２３によって黒レベルの補正を行う。
さらに、濃度補正部２４によって濃度補正を行う。
また、シェーディング補正部２５によってシェーディング補正を行う。
さらに、その他の画像処理部２６によってその他の画像処理を行って出力する。
なお、図５では、濃度補正部２４をシェーディング補正部２５の前段に設けた場合を示したが、シェーディング補正部２５の直後に設けるようにしてもよい。
【００２６】
図６は、濃度補正処理の手順を示す図である。
制御部２７は、図中３０で反射位置検出部１７が正反射光を入力すると、３２で受光位置を検出し、３３で上記参照テーブルから上記受光位置に対応する補正係数を読み出す補正係数算出処理をする。一方、３１で受光素子１４から入力された読取画像データを入力する。
そして、３４で、上記読取画像データに上記補正係数を乗算し、得られた画像データを３５で出力する。
【００２７】
図７は、この実施例の原稿読取装置の原稿読取処理を示すフローチャート図である。
制御部２７の制御により、ステップ（図中「Ｓ」で示す）１で原稿読取を開始すると、ステップ２でシートスルー読取方式か否かを判断し、シートスルー読取方式ならばステップ３へ進み、シートスルー読取方式でなければ、ステップ１０へ進む。
ステップ３では、読取画像データに濃度補正を実施するか否かを判断し、実施するならステップ４へ進み、実施しないならステップ１０へ進む。
ステップ４では、光源１６を点灯し、原稿に対して読取位置Ｐで原稿の傾きを検出するための光を照射すると共に、光源８からの照射光によって原稿の読取位置Ｐでの画像データを読み取り、ステップ５へ進む。
【００２８】
ステップ５では、反射位置検出部１７により、原稿から画像を読み取る際のラインのスタート信号であるライン同期信号をトリガとして受光位置を検出し、ステップ６へ進む。
ステップ６では、反射位置検出部１７によって検出された受光位置に基づいて、参照テーブルから受光位置に対応する補正係数を読み出す補正係数算出処理をし、ステップ７へ進む。
ステップ７では、上記読取画像データに上記補正係数を乗算して上記読取画像データの濃度を補正する。画像データは１ラインの先頭のみ、もしくは複数サンプリングして平均値をとっても良い。１ラインに同期してそれぞれ求めた受光位置に対応する補正係数をそのラインの画像データ全てに乗算する。その後、ステップ８へ進む。
【００２９】
ステップ８では、原稿の読み取りが終了したか否かを判断し、終了したらこの処理を終了し、終了しなければ、ステップ９で次のラインの画像データについての処理に移行し、ステップ５へ戻って上述の処理を繰り返す。
一方、ステップ１０では、濃度補正機能を無効にし、ステップ１１で通常の画像読み取りを実施し、この処理を終了する。
このようにして、画像データの各ライン毎に濃度補正を行っていくので、原稿の読み取り中の正反射光の受光位置の検出の変動、すなわち原稿の傾き量による濃度変化を随時補正することが可能になる。
【００３０】
この実施例の原稿読取装置は、原稿に対して光を照射し、その反射光の受光位置により原稿の傾きを検知し、各ライン毎に逐次補正係数を求めて画像データを補正するので、読み取り中に原稿の傾きが発生した場合でも、原稿の読取濃度差が発生することを防止することができる。
また、常に補正係数を導き出して補正するので、原稿の種類や厚み・カールといった条件に影響されず補正ができる。
この発明の実施例について、光源８からの照射光の反射光を反射位置検出部１７で受光するようにしても良い。その場合、光源１６を設ける必要はなく、部品点数を削減して原稿読取装置の製造コストを低減することができる。
また、光源１６をＬＥＤにした場合、反射の仕方によっては拡散反射光が受光素子に入力されてしまうことが考えられる。
そこで、受光素子での感度が小さい赤外ＬＥＤなどの光源を用いれば、赤外カットの構造をとっていれば受光素子への入力の恐れはなくなる。
【００３１】
さらに、光源１６と反射位置検出部１７はコンタクトガラス６下に配置して、原稿の読取面によって傾きを検出するようにした場合を示したが、受光素子への光の入力が懸念される場合は、原稿の読取位置Ｐに対して裏面側に光を照射し、その反射光を受光できるように、光源１６と反射位置検出部１７を原稿押さえ部５側に配置するようにしてもよい。
また、カラーＣＣＤなどの受光素子は、Ｒ，Ｇ，Ｂの画像を同時に読み取る必要があるため、一定距離離れた位置に各色の受光素子が並んでいる。
この場合、各色毎に原稿の傾きが異なることが考えられるので、各色毎に異なる受光素子に対応する原稿の傾きを検出するように、光源１６と反射位置検出部１７を複数設け、各色毎にそれぞれ濃度補正を行うようにすると良い。
このようにして、複数の検出結果より実際の原稿の傾き量を推測することによって、離れた位置に各色の受光素子が並んでいた場合でもそれぞれの画像データの濃度補正が可能になる。
【００３２】
さらに、上記濃度補正処理については、１ラインに同期して求めた補正係数をそのラインのデータ全てに乗算して補正したが、前述のようにカラーの画像の場合はライン間補正を行うため、色によっては遅延したデータになる。そこで、各色毎に遅延時間を設定することでずれのない補正係数を選択することも可能になる。
また、補正係数の算出方式としては、１ライン・複数ラインの平均値や重み付け計算（突発的な変動は緩和できる）など様々な方式が考えられる。
そこで、どれが最適かは原稿読取装置の機種毎に異なることも考えられるので、上記補正係数の演算方式をユーザからの指定入力に基づいて選択可能にするとよい。
さらに、上述の処理では原稿から読み取った１ラインの画像データについて逐次補正する場合を示したが、原稿の全ラインの画像データを一旦メモリに蓄積し、各画像データとリンクさせた形で反射位置検出結果を記憶するようにし、原稿の読み取りを終えた後に濃度補正をするようにしてもよい。
【００３３】
また、画像データの濃度を部分的に補正したいということも考えられるので、原稿の全画像領域に対して補正領域を指定し、その指定された補正領域についてのみ上記濃度補正を施すようにすることもできる。
さらに、例えば、光の跳ね返り位置を検出することで距離を導く測距センサを用いても良い。この場合、照射光が原稿面に照射される位置の遠近に基づいて画像データの濃度を補正すると良い。
【産業上の利用可能性】
【００３４】
この発明による原稿読取装置は、スキャナを含む画像読取装置、及びその画像読取装置を備えたファクシミリ装置，複写機，複合機を含む画像形成装置において適用することができる。
【符号の説明】
【００３５】
１：原稿トレイ    ２：給紙コロ    ３：給紙ローラ    ４：第１搬送ローラ対    ５：原稿押さえ部    ６：コンタクトガラス    ７：第２搬送ローラ対    ８，１６：光源    ９：リフレクタ    １０：第１ミラー    １１：第２ミラー    １２：第３ミラー    １３：レンズ    １４：受光素子    １５：基板    １７：反射位置検出部    ２０：アナログデジタル変換部    ２１：画像処理部    ２２：ライン間補正部    ２３：黒補正部    ２４：濃度補正部    ２５：シェーディング補正部    ２６：その他の画像処理部    ２７：制御部    Ｓ，Ｓ１，Ｓ２：原稿
【先行技術文献】
【特許文献】
【００３６】
【特許文献１】特開２００２−３７４３９３号公報
【特許文献２】特開２００７−２０８６７２号公報
【図１】
2011091473.tif 000003
【図２】
2011091473.tif 000004
【図３】
2011091473.tif 000005
【図４】
2011091473.tif 000006
【図５】
2011091473.tif 000007
【図６】
2011091473.tif 000008
【図７】
2011091473.tif 000009